(57)【要約】【課題】浴槽に高価な浄化装置を付加することなく、簡単な吸着具を用いて入浴中に人体から発生する皮脂を吸着し、また皮脂及び湯垢が浴槽壁面に付着するのを効果的に防ぐ浴槽用の皮脂及び湯垢吸着具を安価に提供する。【解決手段】外形が帯状で、その両端には互いを適切な位置で連結するための連結手段を持ち、これを用いて両端を連結し輪状にして浴槽内壁に沿って浮かせることが出来、またその輪の内側の少なくとも水に接する部分が親油性と疎水性を併せ持つ有機ポリマー、好ましくはポリプロピレンまたはポリウレタンの発泡体、不織布、織布のなかの一種類、或いは複数種類の組み合わせで構成されることを特徴とする。【選択図】    図１
2009153633.tif 000002
【特許請求の範囲】
【請求項１】
入浴時に浴槽に浮かべて人体から発生する皮脂を吸着し、また皮脂及び湯垢が浴槽壁面に付着することを防止する吸着具であって、外形が帯状で、その両端には互いを適切な位置で連結するための連結手段を持ち、これを用いて両端を連結し輪状にして浴槽内壁に沿って浮かせることが出来、またその輪の内側の少なくとも水に接する部分が親油性と疎水性を併せ持つ有機ポリマーで構成されたことを特徴とする浴槽用の皮脂及び湯垢吸着具。
【請求項２】
前記有機ポリマーがポリプロピレンまたはポリウレタンの発泡体、不織布、織布のなかの一種類、或いは複数種類の組み合わせで構成されている請求項１に記載の浴槽用の皮脂及び湯垢吸着具。
【発明の詳細な説明】
【技術分野】
【０００１】
本発明は、入浴時に人体から生じる皮脂及び湯垢が浴湯内に浮遊し、また浴槽の壁面に付着して不快感を与えることを防ぐ器具に関する。
【背景技術】
【０００２】
従来、浴槽の浴湯内に浮遊する皮脂及び湯垢を除去する方法としては、大きく分けると次の二つの方式が有る。一つは何らかの方法で皮脂及び湯垢の一部を湯水と共に浴槽外に導き、それらを全て排出するか、或いは皮脂及び湯垢をフィルターで除去し湯水は浴槽に戻す方式である(例えば特許文献1参照)。
【特許文献１】特許第3372597号公報
【０００３】
他の一つは浴槽内の湯水面に浮上した皮脂及び湯垢を、湯面に浮遊させた吸着体で吸着して低減する方式であり、一例として親油性の素材でできた平面状のシートを浴槽のほぼ全面に浮かべて皮脂及び湯垢を吸着するもの(特許文献２参照)、他の例としては親油性繊維で形成されたボール状吸着具を浴槽に浮かべて皮脂及び湯垢を吸着するもの(特許文献３参照)がある。
【特許文献２】特開2002-355185号公報(第4頁、図1)
【特許文献３】特開2006-296825号公報(第2頁、図9)
【発明の開示】
【発明が解決しようとする課題】
【０００４】
しかしながら、特許文献1の技術では高価な装置を浴槽に付加する必要があり、一般家庭では適用し難いという問題があった。
【０００５】
また、特許文献2の技術では吸着シートの形状からみて、入浴中にこれを浴槽に浮かべると人が入浴するスペースが無くなり、従って入浴後にこのシートを浮かべて皮脂及び湯垢を取ることになる。一般に入浴中に人の身体から溶け出た皮脂はすぐに浮上しながら一部は水中の無機成分と結合し湯垢となり、それらの大半は数分以内に浴槽壁面に付着して灰白色の汚れとなる。即ち、入浴後に浴槽に吸着シートを浮かべるこの技術では、浴槽壁面に皮脂及び湯垢が付着することを防止できず、また一旦浴槽壁面に付着した皮脂及び湯垢はその後に吸着シートを浮かべるだけでは除去することは難しい。
【０００６】
また、特許文献3の技術では吸着具が比較的小さなボール形状であるため、入浴中に浮かべてその時発生した皮脂及び湯垢の一部を吸着し除去することは可能であるが、身体から発生した皮脂及び湯垢は湯面まで上昇する過程で広がり浴湯の全面に拡散するため、小さなボール状吸着具が捕捉できるのはその一部であり、大部分は壁面に順次到達してそこに付着する。即ち、皮脂及び湯垢が浴槽壁面に付着することを防止することは難しく、また水中の皮脂濃度を速やかに下げることは難しいため湯垢の発生を防止できない。
【０００７】
本発明は上記の不具合を改善するためになされたもので、浴槽に高価な浄化装置を付加することなく、簡単な吸着具を用いて入浴中に発生する皮脂及び湯垢が浴槽壁面に付着するのを効果的に防ぎ、同時に水面に浮上した皮脂を吸着して低減することが出来るようにした浴槽用の皮脂及び湯垢吸着具を安価に提供することを目的としたものである。
【課題を解決するための手段】
【０００８】
本発明は上記の課題を解決する手段として、入浴時に浴槽に浮かべて人体から発生する皮脂を吸着し、また皮脂及び湯垢が浴槽壁面に付着することを防止する吸着具であって、外形が帯状で、その両端には互いを適切な位置で連結するための連結手段を持ち、これらを用いて両端を連結し輪状にして浴槽内壁に沿って浮かせることが出来、またその輪の内側の少なくとも水に接する部分が親油性と疎水性を併せ持つ有機ポリマーで構成される。
【０００９】
また、親油性と疎水性を併せ持つ前記有機ポリマーがポリプロピレンまたはポリウレタンの発泡体、不織布、織布のなかの一種類、或いは複数種類の組み合わせで構成される。
【発明の効果】
【００１０】
吸着具の外形が帯状で、その両端には適切な位置で互いに連結するための連結手段を持ち、輪状にして浴槽内壁に沿って浮かせることが出来るため、人体から発生した皮脂及び湯垢などが短時間で浮上し湯面全面に広がっても、吸着具に遮られて浴槽壁に付着することはない。
【００１１】
また、両端を連結し輪状にして浴槽に浮かべたときに、内側の少なくとも水に接する部分が親油性と疎水性を併せ持つポリプロピレンまたはポリウレタンの発泡体、不織布、織布のなかの一種類、或いは複数種類の組み合わせで構成されているため、吸着具に到達した皮脂は輪の内側の親油性と疎水性を併せ持つ有機ポリマーに選択的に吸蔵され、浴湯中の皮脂濃度を下げると共に湯垢の発生を抑えることが出来る。因みにポリプロピレン及びポリウレタンの吸油機構は、発泡体や繊維質の隙間空間に毛細管現象により油を吸着保持すると共に水を排除するいわゆる吸蔵型として知られる(非特許文献１参照)。
【非特許文献１】後藤隆清、穂積義幸著  機能材料  Vol.10 No.11  43〜49頁(1990年  シーエムシー出版)
【００１２】
またポリプロピレンのバルク比重は0.91、ポリウレタンは1.1であるため、発泡体、不織布、織布などの形態にすることで、補強材などを含む吸着具全体の見かけの比重を例えば0.5程度以下に調節し水に浮かぶようにすることは容易である。見かけの比重が0.5ということは、吸着具を輪状にして水面に浮かべたとき、その容積の約5割が水面上に出て障壁の機能を果たすわけで、皮脂及び湯垢が輪の外に出て浴槽壁を汚す心配は無い。
【００１３】
更に連結手段５及び連結手段６が両端に形成されているため、浴槽７の内周長に合わせて両端の連結位置を調節することが可能であり、その結果吸着具１と浴槽７の内壁間の隙間空間を最小にすることが出来て、浴槽壁面への皮脂及び湯垢の付着を最小にすることができる。
【発明を実施するための最良の形態】
【００１４】
浴槽に高価な浄化装置を付加することなく、簡単な吸着具を用いて入浴中に発生する皮脂を吸着し、同時に皮脂及び湯垢が浴槽壁面に付着するのを効果的に防ぐという目的を実現した。
【実施例１】
【００１５】
本発明の実施例1を図1、図2及び図3に基づいて説明する。図1は吸着具１の全体斜視図、図2は吸着具１の中央部の縦断面図、図3は吸着具１の両端を連結し輪状にして浴槽７に浮かべたときの斜視図である。吸着具１は全体に帯状をしており、その両端領域には連結手段５及び連結手段６が形成されている。具体的には吸着具全体の長さは浴槽内周に合わせて2〜4mとし、浴槽に浮かべたときの浴槽壁側部品２は幅5〜10mm、厚さ3〜4mmの30倍発泡ポリプロピレンテープ、浴湯側部品３は幅10〜20mm、厚さ4〜5mmの30倍発泡ポリプロピレンテープ、補強材４は幅15〜30mm、厚さ1.0〜2.0mmのポリプロピレン織布テープであり、これらのテープは全長にわたって合成ゴム系接着剤で接合されている。また両端領域の連結手段５及び連結手段６はフック/ループを持つ面ファスナーであり、これらも同様の接着剤で補強材４の両端に接合されている。
【００１６】
少なくとも浴湯側部品３は高発泡ポリプロピレンであるため親油性と疎水性を併せ持ち、浴槽７の中では人体から発生した皮脂を選択的に発泡体内部に良く吸蔵すると共に、皮脂濃度を下げることで湯垢の発生を抑える。またポリプロピレンの30倍発泡体は比重が約0.03であるため吸着具１の体積の95%程度が水面上に突き出て障壁状となり、皮脂及び湯垢が浴槽壁に付着するのを防止する。また浴槽壁側部品２の幅を全周にわたって5〜10mm程度としているため浴槽壁面に接触する部分の面積が小さく、その結果帯状の吸着具1は浴槽壁面に強くは吸着されず、従って人が浴槽７から出入りする時などの水面が大きく上下動するときも吸着具１は常に水面に浮いており、皮脂及び湯垢は吸着具1の輪の中に閉じこめられて浴槽壁に付着することはない。
【００１７】
更に連結手段５、６としてフック/ループを持つ面ファスナーを両端に接着しているため、浴槽７の内周長に合わせて両端の連結位置を調節することが可能であり、その結果吸着具１と浴槽７の内壁間の隙間を最小にすることが出来て、浴槽壁面への皮脂及び湯垢の付着を最小にすることができる。
【実施例２】
【００１８】
本発明の実施例２を図4に基づいて説明する。図4は吸着具１の中央部の縦断面図である。実施例1では浴槽壁側部品２/補強材４/浴湯側部品３の順で直列に配置したが、本実施例２では浴湯側部品３の浴壁側に浴槽壁側部品２と補強材４を並列状に配置している。また材料としては浴槽壁側部品２と浴湯側部品３にはポリウレタンフォームを、補強材４にはポリプロピレンの荷造り用バンドを使った。寸法に関しては、補強材４の厚さ0.5〜1mm、幅10〜20mmとした以外は実施例１とほぼ同等であり、その効果も実施例1と変わりない。
【実施例３】
【００１９】
本発明の実施例３を図５に基づいて説明する。図５は吸着具１の中央部の縦断面図である。本実施例は実施例１の浴湯側部品３と補強材４の機能を一つに纏めて浴湯側部品３に持たせている。具体的には浴槽壁側部品２は幅5〜10mm、厚さ3〜4mmの30倍発泡ポリプロピレンテープ、浴湯側部品３は幅20〜30mm、厚さ1.0〜2.0mmのポリプロピレン織布テープとし、また両端の面ファスナーは浴湯側部品３に接着し、その他については実施例１と同じである。厚さ1.0〜2.0mmのポリプロピレン織布テープは強度が大きく、また繊維の隙間に皮脂を吸着する能力も持つため、このような簡素な構造を取ることも可能である。
また、実施例１、２、３では主として皮脂及び湯垢を吸着する浴湯側部品３として発泡体または織布を使ったが、これに限ることはなく不織布またはこれらの複数種類を組み合わせて使用することも可能である。
【図面の簡単な説明】
【００２０】
【図１】本発明の実施例１における吸着具の全体斜視図である。
【図２】本発明の実施例1における吸着具の中央部の縦断面図である。
【図３】本発明の実施例1、実施例２、及び実施例３における吸着具を輪状にして浴槽に浮かべたときの斜視図である。
【図４】本発明の実施例２における吸着具の中央部の縦断面図である。
【図５】本発明の実施例３における吸着具の中央部の縦断面図である。
【符号の説明】
【００２１】
１  吸着具
２  浴槽壁側部品
３  浴湯側部品
４  補強材
５  連結手段
６  連結手段
７  浴槽
【図１】
2009153633.tif 000003
【図２】
2009153633.tif 000004
【図３】
2009153633.tif 000005
【図４】
2009153633.tif 000006
【図５】
2009153633.tif 000007